(57)【要約】      （修正有）【課題】フィルタデバイス用のキャンドルフィルタアセンブリを提供すること。【解決手段】フィルタデバイス（１０）用のキャンドルフィルタアセンブリ（２４）には、外表面（３２）と内表面（３４）とを有し、それを貫いて延びる複数の開口部（３５）を含む管状コア（３０）と、コアによって支持された、コア／濾材サブアセンブリを画定する濾材（３６）と、ドレンパイプの外表面とドレンパイプの内側との間を流体が流れるようにするための、それを貫いて延びる複数の開口部（３９）を含むドレンパイプ（３８）とが含まれる。該キャンドルフィルタアセンブリには、また、エンドキャップ（４０）と、ドレンパイプ開口部（５４）を含む第１のシーリングブロック（５２）とが含まれる。該キャンドルフィルタアセンブリには、第１のシーリングブロックを貫いて延びるドレンパイプにねじ式に係合する圧縮ナット（６６）がさらに含まれる。【選択図】図２
2007061817.tif 000002
【特許請求の範囲】
【請求項１】
フィルタデバイス（１０）用のキャンドルフィルタエレメントアセンブリ（２４）であって、
外表面（３２）と内表面（３４）とを有し、これらを貫いて延びる複数の開口部（３５）を含む管状の外部コア（３０）と、
前記外部コアによって支持されてコア／濾材サブアセンブリを形成するように適合された濾材（３６）と、
ドレンパイプ（３８）とを含んでおり、
前記ドレンパイプが、前記ドレンパイプの外表面と前記ドレンパイプの内側との間を流体が流れるようにするために複数の開口部（３９）がそれを貫いて延びている管状表面によって画定され且つ前記外部コアの内側に配置されるように適合されており、
前記キャンドルフィルタエレメントアセンブリは更に、エンドキャップ（４０）と、
ドレンパイプ開口部（５４）を含む第１のシーリングブロック（５２）と、圧縮ナット（６６）とを含んでおり、
前記ドレンパイプは、前記第１のシーリングブロックの前記ドレンパイプ開口部を通って延びることができ、
圧縮ナット（６６）は、第１の最上部シーリングブロックを貫いて延びる前記ドレンパイプにねじ式に係合する、キャンドルフィルタエレメントアセンブリ。
【請求項２】
前記エンドキャップ（４０）が、前記外部コア（３０）／濾材サブアセンブリを受けるようにサイズ設定された環状溝（４８）を含んでおり、
前記第１のシーリングブロック（５２）が、前記外部コア／濾材サブアセンブリを受けるようにサイズ設定された環状溝（６０）を含んでおり、
前記キャンドルフィルタアセンブリがさらに、
前記エンドキャップと前記外部コア／濾材サブアセンブリとの間に液体シールを作り出すように、前記エンドキャップ（４０）の前記溝（４８）内に位置決めされた第１のシールガスケット（５０）と、
前記第１のシーリングブロックと前記外部コア／濾材サブアセンブリとの間に液体シールを作り出すように、前記第１のシーリングブロックの前記溝（６０）内に位置決めされた第２のシールガスケット（６２）とを含む、請求項１記載のキャンドルフィルタエレメントアセンブリ（２４）。
【請求項３】
前記エンドキャップ（４０）がねじ山付きボア（４６）を含んでおり、
前記ドレンパイプ（３８）が近位のねじ山付き末端部分（４２）を含んでおり、
前記近位のねじ山付き末端部分が前記エンドキャップの前記ねじ山付きボアにねじ式に結合するように適合されており、
前記ドレンパイプが遠位のねじ山付き末端部分（５６）をさらに含んでおり、
前記遠位のねじ山付き末端部分が前記圧縮ナット（６６）にねじ式に係合するように適合される、請求項１記載のキャンドルフィルタエレメントアセンブリ（２４）。
【請求項４】
前記ドレンパイプ（８２）の前記遠位のねじ山付き末端部分（１１６）にねじ式に係合するように適合された第１のカウンタブロック（１２２）をさらに含んでおり、
前記第１のカウンタブロックが、
その中を延びるねじ山付きボア（１２６）を含む主要部（１２４）と、
前記主要部から延びる、前記第１のシーリングブロック（１１２）の環状溝内で受けられるようにサイズ設定された環状突出部（１２８）と、
前記主要部の外表面（１３２）にある環状ノッチ（１３０）とを含んでおり、
前記環状ノッチが前記外部コアを受けるようにサイズ設定される、請求項３記載のキャンドルフィルタエレメントアセンブリ（７０）。
【請求項５】
環状溝（９６）を含む第２のシーリングブロック（９２）をさらに含んでおり、
前記第２のシーリングブロックが前記エンドキャップ（８４）に隣接して位置決めされる、請求項４記載のキャンドルフィルタエレメントアセンブリ（７０）。
【請求項６】
前記ドレンパイプ（８２）の近位のねじ山付き末端部分（８６）にねじ式に係合するように適合された第２のカウンタブロック（１００）をさらに含んでおり、
前記第２のカウンタブロックが、
その中を延びるねじ山付きボア（１０４）を含む主要部（１０２）と、
前記主要部から延びる、前記第２のシーリングブロック（９２）の前記環状溝（９６）内で受けられるようにサイズ設定された環状突出部（１０６）と、
前記主要部の外表面（１１０）にある環状ノッチ（１０８）とを含んでおり、
前記ノッチが前記外部コア（７２）を受けるようにサイズ設定される、請求項５記載のキャンドルフィルタエレメントアセンブリ（７０）。
【請求項７】
前記第１のシーリングブロックと前記外部コア（７２）／濾材（８０）サブアセンブリとの間に液体シールを作り出すように、前記第１のシーリングブロック（１１２）の前記溝（１２０）内に位置決めされた第１のシールガスケット（１４２）と、
前記第２のシーリングブロックと前記外部コア／濾材サブアセンブリとの間に液体シールを作り出すように、前記第２のシーリングブロック（９２）の前記溝（９６）内に位置決めされた第２のシールガスケット（１４６）とをさらに含む、請求項６記載のキャンドルフィルタエレメントアセンブリ（７０）。
【請求項８】
前記エンドキャップ（２１４）が、前記エンドキャップ内を延びるねじ山のないボア（２２０）と、前記外部コア（２０２）／濾材（２１０）サブアセンブリを受けるようにサイズ設定された環状溝（２２４）とを含んでおり、
前記第１のシーリングブロック（２３８）が、前記外部コア／濾材サブアセンブリを受けるようにサイズ設定された環状溝（２４４）を含む、請求項１記載のキャンドルフィルタエレメントアセンブリ（２００）。
【請求項９】
前記ドレンパイプ（２１２）のねじ山付き部分（２１６）にねじ式に係合するように適合された第１のカウンタブロック（２４６）をさらに含んでおり、
前記第１のカウンタブロックが、
前記第１のカウンタブロック内を延びる、前記ドレンパイプの前記ねじ山付き部分（２１６）にねじ式に係合するようにサイズ設定されたねじ山付きボア（２４８）と、
外周表面（２５０）とを含んでおり、前記コア（２０２）の前記内表面（２０６）が前記第１のカウンタブロック（２４６）の前記外周表面に取り付けられる、請求項８記載のキャンドルフィルタエレメントアセンブリ（２００）。
【請求項１０】
第２のカウンタブロック（２２８）とねじ山付きボルト（２２２）とをさらに含んでおり、
前記第２のカウンタブロックが、前記第２のカウンタブロック内を延びる、前記ねじ山付きボルトにねじ式に係合するようにサイズ設定されたねじ山付きボア（２３０）と、外周表面（２３２）とを含んでおり、
前記コア（２０２）の前記内表面（２０６）が前記第２のカウンタブロックの前記外周表面に取り付けられており、
前記ねじ山付きボルト（２２２）が、前記エンドキャップ（２１４）の前記ねじ山のないボア（２２０）を通って延びるようにサイズ設定される、請求項９記載のキャンドルフィルタエレメントアセンブリ（２００）。
【発明の詳細な説明】
【技術分野】
【０００１】
本発明は、一般に、液体濾過デバイスアセンブリに関し、より詳細には、フィルタデバイスのシーリングを改善するフィルタエレメントアセンブリに関する。
【背景技術】
【０００２】
流れている流体から浮遊汚染物質を除去する、様々な装置および方法が使用されている。一般に、汚染流体は、外圧または外力によって多孔質濾過材を通り抜ける。多孔質濾過材の孔径は、流体を通過させるが、汚染物質が該多孔質濾過材を通って流れるのを妨げるように選択される。汚染物質は、多孔質濾材によって阻止されるが、流体は、多孔質濾材を通り抜ける。
【０００３】
しばらくすると、濾材によって捕集された汚染物質は、多孔質濾材の孔隙を覆い、それによって孔隙を閉塞させ、濾材を通って流れる流体を低減する。捕集された汚染物質によって濾材の孔隙が閉塞すると、流体フィルタを通る流体の流量が減少するので、該流体フィルタがそれ以上の使用には望ましくないものになる。多くの場合、流体濾過プロセスにおける所望の流体流量を回復するために、流体フィルタが廃棄されて新しい流体フィルタに取り替えられる。
【０００４】
通常のキャンドルフィルタでは、多孔質濾材が、該濾材を据え付ける、または懸吊する、フィルタ支持体などに固定される。円筒状フィルタの場合、濾材は、円筒状の構成に成形され、該濾材の第１および第２の円筒端が、それぞれ、第１および第２のエンドキャップなど、第１および第２のフィルタ据付部材に接合される。第１および第２のエンドキャップは、濾材を流体入力源および流体出力源に対して据え付ける。
【特許文献１】米国特許第６，４１３，４２２Ｂ１号公報
【特許文献２】米国特許第６，４２８，５９３Ｂ１号公報
【特許文献３】米国特許第６，４５１，０８１Ｂ１号公報
【特許文献４】米国特許第６，４６４，７５７Ｂ２号公報
【特許文献５】米国特許第６，４６８，３２２Ｂ１号公報
【特許文献６】米国特許第６，４７１，８７７Ｂ１号公報
【特許文献７】米国特許第６，６２７，０７９Ｂ２号公報
【特許文献８】米国特許第６，６５２，６１５Ｂ２号公報
【特許文献９】米国特許第６，６３０，０１６Ｂ２号公報
【特許文献１０】米国特許第６，７３３，５７５Ｂ１号公報
【特許文献１１】米国特許第６，８２７，８６４Ｂ２号公報
【特許文献１２】米国特許第６，８４３，８２１Ｂ２号公報
【特許文献１３】米国特許第６，８５４，６０１Ｂ２号公報
【特許文献１４】米国特許第６，８６０，３９４Ｂ１号公報
【特許文献１５】米国特許第６，８６３，８６８Ｂ１号公報
【特許文献１６】米国特許第６，８６６，７０４Ｂ２号公報
【特許文献１７】米国特許第６，８７２，３１０Ｂ２号公報
【発明の開示】
【発明が解決しようとする課題】
【０００５】
多くの場合、濾材の第１および第２の円筒端を第１および第２のエンドキャップに添着するために、溶接プロセスが使用される。溶接プロセスは、初めに濾材を支持コア上に設置することによって達成される。濾材の第１および第２の円筒端は、濾材を下層の支持コア上に圧密化するようにスエージ加工される。圧密化された濾材の第１および第２の端部に第１および第２の溶接リングが溶接される。最後に、第１および第２の溶接リングに第１および第２のエンドキャップが溶接される。濾材の第１および第２の円筒端を圧密化かつ溶接すると、濾材の圧密端近くで該濾材の濾過能力がほとんどすべて破壊された。
【０００６】
公知のキャンドルフィルタエレメントアセンブリは、また、クランプを使用してキャンドルフィルタの濾材を配管ヘッダおよび／または支持コア上に添着する。これらのクランプは、通常、金属製であり、化学的侵食、機械的磨耗、および隣接クランプからの損傷にさらされる。また、クランプは、濾材表面に切り込むことによって、または隣接濾材を引っ掻くことによって、濾材を損傷する虞がある。また、公知のクランプを使用して完全な濾過デバイスを組み立てるのに要する時間が長いので、結果として経費が高くなっており、濾過デバイスがオフラインのときにしか実施できないので、やはり追加経費が発生する。
【課題を解決するための手段】
【０００７】
一実施形態では、フィルタデバイス用のキャンドルフィルタアセンブリが提供される。該キャンドルフィルタアセンブリには、外表面と内表面とを有し、それを貫いて延びる複数の開口部を含む管状コアと、該コアによって支持された、コア／濾材サブアセンブリ（コア及び濾材のサブアセンブリ）を形成する濾材と、ドレンパイプの外表面とドレンパイプの内側との間を流体が流れるようにするための、それを貫いて延びる複数の開口部を含むドレンパイプとが含まれる。ドレンパイプは、コアの内側に配置される。該キャンドルフィルタアセンブリには、また、エンドキャップと、ドレンパイプ開口部を含む第１のシーリングブロックとが含まれる。ドレンパイプは、第１のシーリングブロックのドレンパイプ開口部を通って延びる。該キャンドルフィルタアセンブリには、第１のシーリングブロックを貫いて延びるドレンパイプにねじ式に係合する圧縮ナットがさらに含まれる。
【０００８】
他の実施形態では、液体濾過デバイスが提供される。該液体濾過デバイスには、フィルタハウジングと、該フィルタハウジングに結合した、該フィルタハウジングを封止する着脱式ハウジングカバーと、該フィルタハウジング内部に位置決めされたフィルタ支持エレメントと、該フィルタ支持エレメントに据え付けられ、かつフィルタハウジング内部に位置決めされた少なくとも１つのキャンドルフィルタアセンブリとが含まれる。各キャンドルフィルタアセンブリには、外表面と内表面とを有し、それを貫いて延びる複数の開口部を含む管状コアと、該コアによって支持された、コア／濾材サブアセンブリを形成する濾材と、ドレンパイプの外表面とドレンパイプの内側との間を流体が流れるようにするための、それを貫いて延びる複数の開口部を含むドレンパイプとが含まれる。該ドレンパイプは、コアの内側に配置される。該キャンドルフィルタアセンブリには、また、エンドキャップと、ドレンパイプ開口部を含む第１のシーリングブロックとが含まれる。ドレンパイプは、第１のシーリングブロックのドレンパイプ開口部を通って延びる。キャンドルフィルタアセンブリには、第１のシーリングブロックを貫いて延びるドレンパイプにねじ式に係合する圧縮ナットがさらに含まれる。
【発明を実施するための最良の形態】
【０００９】
濾過デバイスで使用するためのキャンドルフィルタアセンブリについて、以下で詳細に説明する。例示的な一実施形態では、キャンドルフィルタアセンブリには、円筒状の外部コア上に据え付けられた濾材が含まれる。外部コアは、最上部シーリングブロックと底部エンドキャップとの間に位置決めされており、ドレンパイプが、底部エンドキャップから、外部コアの中央を通り、最上部シーリングブロックを貫いて延びている。ドレンパイプの端部上に圧縮ナットが螺着されて、最上部シーリングブロック、底部エンドキャップ、外部コア、濾材、およびドレンパイプを併せて固定する。キャンドルフィルタアセンブリは、均一なケーキ形成、フィルタキャンドルの長さにわたる均等な流量分布、最適なケーキ除去のための有効な逆流パルスフラッシュ洗浄（back pulse flush）、ならびに、濾材を損傷する虞のあるクランプを使用しない濾材の容易な注入（instillation）をもたらす。
【００１０】
諸図面を参照すると、図１は、例示的な一実施形態による濾過デバイス１０の切欠斜視図である。濾過デバイス１０には、ハウジング１２と、該ハウジング１２に結合してハウジングキャビティ１６を画定する着脱式カバー１４とが含まれる。ハウジング１２には、濾過すべき流体を濾過デバイス１０に流入させるための流体入口１８と、濾液を濾過デバイス１０から流出させるための流体出口２０とが含まれる。ハウジング１２のフィルタケーキ排出口２２は、濾過デバイス１０を逆流フラッシュ洗浄した後で、該濾過デバイス１０からフィルタケーキを除去させる。複数のキャンドルフィルタエレメントアセンブリ２４が、ハウジングキャビティ１６内に配置され、フィルタ支持エレメント２６、例えばチューブシートに据え付けられており、次にそれがハウジング１２の内部に据え付けられる。代替的な一実施形態では、フィルタ支持エレメント２６は、キャンドルフィルタアセンブリ２４が据え付けられるヘッダである。
【００１１】
使用時には、流体は、圧力を受けてハウジング１２の流体入口１８を通って濾過デバイス１０に流入し、キャンドルフィルタアセンブリ２４内を通り抜ける。流れる流体中に浮遊した固体は、流体から分離され、キャンドルフィルタエレメントアセンブリ２４上にフィルタケーキとして堆積する。濾液は、フィルタアセンブリ２４内を通り抜け、流体出口２０を通ってフィルタデバイス１０から流出する。フィルタケーキは、例えば、逆流洗浄または逆流パルス洗浄によって、定期的にフィルタアセンブリ２４から除去される。除去されたフィルタケーキは、開いた排出口２２を通ってフィルタデバイス１０から排出される。
【００１２】
図２は、キャンドルフィルタエレメントアセンブリ２４の概略断面図である。図２を参照すると、例示的な実施形態では、キャンドルフィルタエレメントアセンブリ２４には、孔あきの管状または円筒状外部コア３０が含まれており、該外部コア３０が、外表面３２と、内表面３４と、該外表面３２と該内表面３４との間で該外部コア３０を貫いて延びる複数の開口部３５とを有する。代替的な一実施形態では、外部コア３０を多孔質セラミック構造にすることができる。濾材３６が、外部コア３０の外表面３２を取り囲む。複数のドレン開口部３９を有するドレンパイプ３８が、外部コア３０の内側に位置決めされ、底部エンドキャップ４０に取り付けられる。ドレンパイプ３８は、いずれか適切な方法によって、例えば、ねじ山、接着接合、および／または溶接を用いて、底部エンドキャップ４０に取り付けることができる。さらに図３も参照すると、例示的な実施形態では、ドレンパイプ３８の第１の末端部分４２には複数のねじ山４４が含まれており、底部エンドキャップ４０には、ドレンパイプ３８の第１の末端部分４２にねじ式に係合するようにサイズ設定された、いくらか底部エンドキャップ４０内を延びるねじ山付きボア４６が含まれる。ドレンパイプ３８は、ねじ山付き末端部分４２をねじ山付きボア４６に螺入することによって、底部エンドキャップ４０に取り付けられる。底部エンドキャップ４０には、また、外部コア３０および濾材３６を受けるようにサイズ設定された環状溝４８も含まれる。外部コア３０および底部エンドキャップ４０を封止するために、圧縮型シールガスケット５０が溝４８内に位置決めされる。
【００１３】
最上部シーリングブロック５２には、該シーリングブロックを貫いて延びる、ドレンパイプの第２の末端部分５６が最上部シーリングブロック５２内を摺動可能に延びられるようにサイズ設定された、ドレンパイプ開口部５４が含まれる。最上部シーリングブロック５２の底面５８には、外部コア３０および濾材３６を受けるようにサイズ設定された環状溝６０が含まれる。外部コア３０および最上部シーリングブロック５２を封止するために、圧縮型シールガスケット６２が溝６０内に位置決めされる。ドレンパイプ２８の第２の末端部分５６には、圧縮ナット６６内を延びるねじ山付きボア６４にねじ式に係合するようにサイズ設定された複数のねじ山４５が含まれる。圧縮ナット６６を締め付けると、最上部シーリングブロック５２が底部エンドキャップ４０に向かって移動し、その結果、濾材で巻かれた外部コア３０が、溝４８および６０内にそれぞれ位置決めされたシーリングガスケット５０および６２を圧縮する。
【００１４】
キャンドルフィルタアセンブリ２４を作製する際、いずれか適切な材料または材料の組合せを使用することができる。特に、濾材３６を、例えば延伸ポリテトラフルオロエチレン（ｅＰＴＦＥ）および／またはポリプロピレンから形成される、膜、ニードルドフェルト（needled felt）、織布製品、ラミネート、または非ラミネートの形態にすることができる。圧縮型シールガスケット５０および６２は、例えば、ＥＰＤＭおよび／またはポリウレタンから形成することができる。外部コア３０、ドレンパイプ３８、底部エンドキャップ４０、最上部シーリングブロック５２、および圧縮ナット６６は、これだけに限るものではないが、金属、例えばステンレス鋼およびチタン、ならびに／または熱可塑性材料、例えばＣＰＶＣおよび／もしくはポリプロピレンなどのポリオレフィンを含め、いずれか適切な材料から形成することができる。
【００１５】
図４は、他の例示的な実施形態によるキャンドルフィルタエレメントアセンブリ７０の概略断面図である。キャンドルフィルタエレメントアセンブリ７０には、前述のキャンドルフィルタエレメントアセンブリ２４に類似して、管状の外部コア７２が含まれており、該外部コア７２が、外表面７４と、内表面７６と、該外表面７４から該内表面７６まで該外部コア７２を貫いて延びる複数の開口部７８とを有する。濾材８０が、外部コア７２の外表面７４を取り囲む。複数のドレン開口部８３を有するドレンパイプ８２が、外部コア７２の内側に位置決めされ、底部エンドキャップ８４に取り付けられる。ドレンパイプ８２の第１の末端部分８６には、複数のねじ山８８が含まれる。底部エンドキャップ８４には、第１の末端部分８６にねじ式に係合するようにサイズ設定された、いくらか底部エンドキャップ８４内を延びるねじ山付きボア９０が含まれる。ドレンパイプ８２は、ねじ山付き末端部分８６をねじ山付きボア９０に螺入することによって、底部エンドキャップ８４に取り付けられる。
【００１６】
底部シーリングブロック９２が、底部エンドキャップ８４に隣接して位置決めされており、該底部シーリングブロック９２には、ドレンパイプ８２がその中を摺動可能に延びられるようにサイズ設定された、ねじ山のない開口部９４が含まれる。底部シーリングブロック９２には、また、上面９８に環状溝９６が含まれる。底部シーリングブロック９２が底部カウンタブロック１００と底部エンドキャップ８４との間に配置されるように、底部カウンタブロック１００が、底部シーリングブロック９２に隣接して位置決めされる。底部カウンタブロック１００には、ドレンパイプ８２の第１のねじ山付き末端部分８６にねじ式に係合するようにサイズ設定された、その中を延びるねじ山付きボア１０４を有する主要部分１０２が含まれる。主要部１０２から、底部シーリングブロック９２の環状溝９６内で受けられるようにサイズ設定された環状突出部１０６が延びている。環状ノッチ１０８が、主要部１０２の外表面１１０に配置され、外部コア７２を受けるようにサイズ設定される。
【００１７】
最上部シーリングブロック１１２には、該シーリングブロックを貫いて延びる、ドレンパイプ８２の第２の末端部分１１６が最上部シーリングブロック１１２を貫いて延びられるようにサイズ設定された、ねじ山のないドレンパイプ開口部１１４が含まれる。最上部シーリングブロック１１２の底面１１８には、環状溝１２０が含まれる。最上部カウンタブロック１２２が、最上部シーリングブロック１１２に隣接して位置決めされる。最上部カウンタブロック１２２には、その中を延びるねじ山付きボア１２６を有する主要部分１２４が含まれる。主要部１２４から、最上部シーリングブロック１１２の環状溝１２０内で受けられるようにサイズ設定された環状突出部１２８が延びている。環状ノッチ１３０が、主要部１２４の外表面１３２に配置され、外部コア７２を受けるようにサイズ設定される。ドレンパイプ８２の第２の末端部分１１６には、最上部カウンタブロック１２２のねじ山付きボア１２６にねじ式に係合し、かつ圧縮ナット１３８内を延びるねじ山付きボア１３６にねじ式に係合するようにサイズ設定された、複数のねじ山１３４が含まれる。
【００１８】
キャンドルフィルタエレメント７０は、底部カウンタブロック１００をドレンパイプ８２の第１の末端部分８６上に螺着させ、底部シーリングブロック９２を第１の末端部分８６上に摺動させ、次いで底部エンドキャップ８４を第１の末端部分８６上に螺着させて、底部シーリングブロック９２を底部エンドキャップ８４と底部カウンタブロック１００との間で捕捉することによって組み立てられる。濾材８０は、該濾材８０の両端が外部コア７２の両端を越えて延びる状態で、外部コア７２の外表面７４の周りに位置決めされる。外部コア７２および濾材８０は、外部コア７２の近位端１４０がカウンタブロック１００の環状ノッチ１０８内で受けられ、かつ濾材８０の延長端が底部シーリングブロック９２の環状溝９６内に位置決めされるように位置決めされる。圧縮型シールガスケット１４２が、濾材８０と底部シーリングブロック９２との間で環状溝９６内に位置決めされる。底部エンドキャップ８４を締め付けると、底部シーリングブロック９２が底部カウンタブロック１００に向かって移動し、その結果、環状延長部１０６がシールガスケット１４２を圧縮して、濾材８０と底部シーリングブロック９２との間にシールを形成する。
【００１９】
フィルタエレメント７０は、引き続き、最上部カウンタブロック１２２をドレンパイプ８２の第２の末端部分１１６上に螺着させ、最上部シーリングブロック１１２を第２の末端部分１１６上に摺動させ、次いで圧縮ナット１３８を第２の末端部分１１６上に螺着させて、最上部シーリングブロック１１２を最上部カウンタブロック１２２と圧縮ナット１３８との間で捕捉することによって組み立てられる。外部コア７２および濾材８０は、外部コア７２の遠位端１４４が最上部カウンタブロック１２２の環状ノッチ１３０内で受けられ、かつ濾材８０の延長端が最上部シーリングブロック１１２の環状溝１２０内に位置決めされるように位置決めされる。圧縮型シールガスケット１４６が、濾材８０と最上部シーリングブロック１１２との間で環状溝１２０内に位置決めされる。圧縮ナット１３８を締め付けると、最上部シーリングブロック１１２が最上部カウンタブロック１２２に向かって移動し、その結果、環状延長部１２８がシールガスケット１４６を圧縮して、濾材８０と最上部シーリングブロック１１２との間にシールを形成する。
【００２０】
キャンドルフィルタエレメントアセンブリ７０は、ドレンパイプ８２のねじ山付き末端部分１１６に係合するようにサイズ設定されたねじ山付きボア１５０を含む据付ナット１４８を用いて、パイプシート２６に据え付けられる。圧縮型シールガスケット１５２が、圧縮ナット１３８とパイプシート２６との間に位置決めされる。
【００２１】
使用時には、濾過すべき液体は、圧力を受けて濾材８０を通って流れ、流れる流体中に浮遊した固体は、流体から分離され、濾材上にフィルタケーキとして凝集する。濾過された流体は、外部コア７２の開口部７８を通って流れ、ドレンパイプ８２のドレン開口部８３を通って該ドレンパイプ８２に到達する。濾過された流体は、ドレンパイプ８２の第２の末端部分１１６を通ってフィルタエレメントアセンブリ７０から出ていき、次いで濾過デバイス１０の流体出口２０（図１参照）から流れ出る。
【００２２】
図５は、他の例示的な実施形態によるキャンドルフィルタエレメントアセンブリ２００の概略断面図である。キャンドルフィルタエレメントアセンブリ２００には、前述のキャンドルフィルタエレメントアセンブリ７０に類似して、管状の外部コア２０２が含まれており、該外部コア２０２が、外表面２０４と、内表面２０６と、該外表面２０４から該内表面２０６まで該外部コア２０２を貫いて延びる複数の開口部２０８とを有する。濾材２１０が、外部コア２０２の外表面２０４を取り囲む。複数のドレン開口部２１３を有するドレンパイプ２１２が、外部コア２０２の内側に位置決めされる。ドレンパイプ２１２の第１の部分２１６には、複数のねじ山２１８が含まれる。
【００２３】
底部エンドキャップ２１４には、該エンドキャップ内を延びる、ねじ山付きボルト２２２が底部エンドキャップ２１４内を延びられるようにサイズ設定された、ねじ山のないボア２２０が含まれる。エンドキャップ２１４には、上面２２６に環状溝２２４が含まれる。底部カウンタブロック２２８が、底部エンドキャップ２１４に隣接して位置決めされる。底部カウンタブロック２２８には、ねじ山付きボルト２２２にねじ式に係合するようにサイズ設定された、ねじ山付きボア２３０が含まれる。底部カウンタブロック２２８の外表面２３２には、外部コア２０２の内表面２０６の第１のねじ山付き部分２３６にねじ式に係合するようにサイズ設定された、複数のねじ山２３４が含まれる。代替的な一実施形態では、底部カウンタブロック２２８の外表面２３２がねじ山を含まず、底部カウンタブロック２２８が、いずれか適切な方法、例えば、溶接、接着接合、および／または締着具によって、外部コア２０２に取り付けられる。
【００２４】
最上部シーリングブロック２３８には、該シーリングブロックを貫いて延びる、ドレンパイプ２１２が最上部シーリングブロック２３８を貫いて延びられるようにサイズ設定された、ねじ山のないドレンパイプ開口部２４０が含まれる。最上部シーリングブロック２３８の底面２４２には、環状溝２４４が含まれる。最上部カウンタブロック２４６が、最上部シーリングブロック２３８に隣接して位置決めされる。最上部カウンタブロック２４６には、該カウンタブロック内を延びる、ねじ山付きドレンパイプのねじ山付き部分２１６にねじ式に係合するようにサイズ設定された、ねじ山付きボア２４８が含まれる。最上部カウンタブロック２４６の外表面２５０には、外部コア２０２の内表面２０６の第２のねじ山付き部分２５４にねじ式に係合するようにサイズ設定された、複数のねじ山２５２が含まれる。ドレンパイプ２１２のねじ山付き部分２１６は、最上部カウンタブロック２４６のねじ山付きボア２４８にねじ式に係合し、かつ圧縮ナット２５８内を延びるねじ山付きボア２５６にねじ式に係合するようにサイズ設定される。代替的な一実施形態では、最上部カウンタブロック２４６の外表面２５０がねじ山を含まず、最上部カウンタブロック２４６が、いずれか適切な方法、例えば、溶接、接着接合、および／または締着具によって、外部コア２０２に取り付けられる。
【００２５】
キャンドルフィルタアセンブリ２００は、濾材２１０を外部コア２０２の外表面２０４の周りに位置決めし、外部コア２０２を底部カウンタブロック２２８上に螺着させることによって組み立てられる。次いで、外部コア２０２および濾材２１０の近位端がエンドキャップ２１４の環状溝２２４内で受けられた状態で、ねじ山付きボルト２２２によって底部エンドキャップ２１４が底部カウンタブロック２２８に取り付けられる。圧縮型シールガスケット２６０が、環状溝２２４内に位置決めされる。ねじ山付きボルト２２２を締め付けると、底部エンドキャップ２１４が底部カウンタブロックに向かって移動し、それがシールガスケット２６０を圧縮して、濾材２１０と底部エンドキャップ２１４との間にシールを形成する。
【００２６】
最上部カウンタブロック２４６が、外部コア２０２の第２のねじ山付き部分２５４上に螺着され、ドレンパイプ２１２が、ドレンパイプのねじ山付き部分２１６を最上部カウンタブロック２４６のねじ山付きボア２４８に螺入することによって、最上部カウンタブロックにねじ式に結合される。最上部シーリングブロック２３８は、ドレンパイプ２１２上に摺動され、外部コア２０２および濾材２１０が最上部シーリングブロック２３８の環状溝２４４内で受けられた状態で、最上部カウンタブロック２４６に隣接して位置決めされており、圧縮ナット２５８は、ドレンパイプ２１２のねじ山付き部分２１６上に螺着される。圧縮型シールガスケット２６２が、濾材と最上部シーリングブロック２３８との間で環状溝２４４内に位置決めされる。圧縮ナット２５８を締め付けると、最上部シーリングブロック２３８が最上部カウンタブロック２４６に向かって移動し、その結果、シールガスケット２６２を圧縮させて、濾材２１０と最上部シーリングブロック２３８との間にシールを形成する。
【００２７】
キャンドルフィルタアセンブリ２００は、ドレンパイプ２１２のねじ山付き部分２１６に係合するようにサイズ設定されたねじ山付きボア２６６を含む据付ナット２６４を用いて、パイプシート２６に据え付けられる。圧縮型シールガスケット２６８が、圧縮ナット２５８とパイプシート２６との間に位置決めされる。
【００２８】
本発明を様々な特定の諸実施形態に関して説明したが、特許請求の範囲および趣旨内にある修正形態によって本発明を実施できることが当業者には認識されよう。
【図面の簡単な説明】
【００２９】
【図１】濾過デバイスの切欠斜視図である。
【図２】本発明の一実施形態による、図１に示したキャンドルフィルタアセンブリの概略断面図である。
【図３】図１に示したドレンパイプの概略側面図である。
【図４】本発明の他の実施形態によるキャンドルフィルタアセンブリの概略断面図である。
【図５】本発明の他の実施形態によるキャンドルフィルタアセンブリの概略断面図である。
【符号の説明】
【００３０】
１０  濾過デバイス
１２  ハウジング
１４  着脱式カバー
１６  ハウジングキャビティ
１８  流体入口
２０  流体出口
２２  排出口
２４  キャンドルフィルタアセンブリ
２６  フィルタ支持エレメント
３０  外部コア
３２  外表面
３４  内表面
３５  開口部
３６  濾材
３８  ドレンパイプ
３９  開口部
４０  底部エンドキャップ
４２  ドレンパイプの第１の末端部分
４４  ねじ山
４６  ねじ山付きボア
４８  環状溝
５０  シールガスケット
５２  最上部シーリングブロック
５４  ドレンパイプ開口部
５６  ドレンチューブの第２の末端部分
５８  底面
６０  環状溝
６２  シールガスケット
６４  ねじ山付きボア
６６  圧縮ナット
７０  キャンドルフィルタアセンブリ
７２  外部コア
７４  外表面
７６  内表面
７８  開口部
８０  濾材
８２  ドレンパイプ
８４  底部エンドキャップ
８６  ドレンパイプの第１の末端部分
８８  ねじ山
９０  ねじ山付きボア
９２  底部シーリングブロック
９４  開口部
９６  溝
９８  上面
１００  底部カウンタブロック
１０２  主要部
１０４  ねじ山付きボア
１０６  環状突出部
１０８  環状ノッチ
１１０  外表面
１１２  最上部シーリングブロック
１１４  開口部
１１６  ドレンパイプの第２の末端部分
１１８  底面
１２０  環状溝
１２２  最上部カウンタブロック
１２４  主要部
１２６  ねじ山付きボア
１２８  環状突出部
１３０  環状ノッチ
１３２  外表面
１３４  ねじ山
１３６  ねじ山付きボア
１３８  圧縮ナット
１４０  コア近位端
１４２  シーリングガスケット
１４４  遠位端
１４６  シーリングガスケット
１４８  据付ナット
１５０  ねじ山付きボア
１５２  シールガスケット
２００  キャンドルフィルタエレメントアセンブリ
２０２  管状の外部コア
２０４  外表面
２０６  内表面
２０８  開口部
２１０  濾材
２１２  ドレンパイプ
２１３  開口部
２１４  底部エンドキャップ
２１６  ドレンパイプの第１の部分
２１８  ねじ山
２２０  ボア
２２２  ねじ山付きボルト
２２４  環状溝
２２６  上面
２２８  底部カウンタブロック
２３０  ねじ山付きボア
２３２  外表面
２３４  ねじ山
２３６  コアの第１のねじ山付き部分
２３８  最上部シーリングブロック
２４０  ドレンパイプ開口部
２４２  底面
２４４  環状溝
２４６  最上部カウンタブロック
２４８  ボア
２５０  外表面
２５２  ねじ山
２５４  コアの第２のねじ山付き部分
２５６  ボア
２５８  圧縮ナット
２６０  シールガスケット
２６２  シールガスケット
２６４  据付ナット
２６６  ボア
２６８  シールガスケット
【図１】
2007061817.tif 000003
【図２】
2007061817.tif 000004
【図３】
2007061817.tif 000005
【図４】
2007061817.tif 000006
【図５】
2007061817.tif 000007